(57)【特許請求の範囲】
【請求項１】
患者ごとに、患者の特徴情報と該患者に行われた検査で得られた検査情報とを記憶する外部装置にアクセスする情報表示装置であって、
前記患者に実施する検査を識別する識別子と、実施が指示された検査の種別と、実施が指示された前記検査の検査目的とを含む検査オーダを取得する取得部と、
取得した前記検査オーダを含む複数の検査オーダのうち、ユーザから一の検査オーダの指定を受付ける選択部と、
前記検査情報に含まれる複数の項目と前記特徴情報に含まれる複数の項目とのうちの少なくとも一つを含む実施される検査の検査目的に応じて設定した指定項目、実施される検査の種別を示す検査種別、および実施される検査の検査目的とを対応付けて記憶する記憶部から、指定された前記一の検査オーダの検査種別および検査目的に対応する前記指定項目を取得する生成部と、
取得した前記指定項目に対応する情報を要求する命令を外部装置へ送信する送信部と、
前記指定項目に対応する情報を前記外部装置から受信する受信部と、
受信した前記指定項目に対応する情報を、表示装置へ表示する表示制御部と、
を有することを特徴とする情報表示装置。
【請求項２】
前記記憶部は、複数種類の指定項目を記憶しており、
前記選択部は、前記複数種類の指定項目の中から要求対象となる指定項目を選択し、取得した前記検査オーダを含む複数の検査オーダのうち、ユーザから一の検査オーダの指定を受付け、
前記生成部は、前記記憶部から、選択された前記指定項目のうち指定された前記一の検査オーダの検査種別および検査目的に対応する前記指定項目を取得することを特徴とする請求項１に記載の情報表示装置。
【請求項３】
前記情報表示装置は、第１の外部装置からの単方向通信により前記複数の検査オーダを受信する第２の外部装置とアクセス可能であり、
前記取得部は、前記第２の外部装置から前記複数の検査オーダを取得し、
前記表示制御部は、前記取得部によって取得された前記複数の検査オーダを前記表示装置に表示することを特徴とする請求項１または２に記載の情報表示装置。
【請求項４】
患者ごとに、患者の特徴情報と該患者に行われた検査で得られた検査情報とを記憶するサーバにアクセス可能であり、前記検査情報に含まれる複数の項目と前記特徴情報に含まれる複数の項目とのうちの少なくとも一つを含む指定項目、および実施される検査の種別を示す検査種別とを対応付けて記憶する記憶部にアクセス可能であるコンピュータが、
前記患者に実施する検査を識別する識別子と、実施が指示された検査の種別と、実施が指示された前記検査の検査目的とを含む検査オーダを取得し、
取得した前記検査オーダを含む複数の検査オーダのうち、ユーザから一の検査オーダの指定を受付け、
前記検査情報に含まれる複数の項目と前記特徴情報に含まれる複数の項目とのうちの少なくとも一つを含む実施される検査の検査目的に応じて設定した指定項目、実施される検査の種別を示す検査種別、および実施される検査の検査目的とを対応付けて記憶する記憶部から、指定された前記一の検査オーダの検査種別および検査目的に対応する前記指定項目を取得し、
取得した前記指定項目に対応する情報を要求する命令を外部装置へ送信し、
前記指定項目に対応する情報を前記外部装置から受信し、
受信した前記指定項目に対応する情報を、表示装置へ表示する、
ことを特徴とする情報表示方法。
【請求項５】
患者ごとに、患者の特徴情報と該患者に行われた検査で得られた検査情報とを記憶するサーバにアクセス可能であり、前記検査情報に含まれる複数の項目と前記特徴情報に含まれる複数の項目とのうちの少なくとも一つを含む指定項目、および実施される検査の種別を示す検査種別とを対応付けて記憶する記憶部にアクセス可能であるコンピュータに、
前記患者に実施する検査を識別する識別子と、実施が指示された検査の種別と、実施が指示された前記検査の検査目的とを含む検査オーダを取得し、
取得した前記検査オーダを含む複数の検査オーダのうち、ユーザから一の検査オーダの指定を受付け、
前記検査情報に含まれる複数の項目と前記特徴情報に含まれる複数の項目とのうちの少なくとも一つを含む実施される検査の検査目的に応じて設定した指定項目、実施される検査の種別を示す検査種別、および実施される検査の検査目的とを対応付けて記憶する記憶部から、指定された前記一の検査オーダの検査種別および検査目的に対応する前記指定項目を取得し、
取得した前記指定項目に対応する情報を要求する命令を外部装置へ送信し、
前記指定項目に対応する情報を前記外部装置から受信し、
受信した前記指定項目に対応する情報を、表示装置へ表示する、
処理を実行させることを特徴とする情報表示プログラム。
【発明の詳細な説明】
【技術分野】
【０００１】
本発明は、情報を表示する情報表示装置、情報表示方法、および情報表示プログラムに関する。
【背景技術】
【０００２】
従来、電子カルテシステムと医用画像管理システムとを連携動作させる制御手段と、電子カルテデータを示す画面と各種処理データを示す画面とを表示する表示手段と、を備えた医用画像表示システムが開示されている（たとえば、特許文献１）。
【先行技術文献】
【特許文献】
【０００３】
【特許文献１】国際公開第２００８／１１７６３４号
【発明の概要】
【発明が解決しようとする課題】
【０００４】
ユーザである検査技師や検査部門の管理者が、診療科の医師から発行された検査オーダの一覧を端末の画面で確認する場合、ユーザの職種によって検査を実施する上で、確認したい情報は異なる。なお、確認したい情報とは、例えば、電子カルテシステムで管理されているカルテ情報等の一部である。また、検査技師がいる場所（検査室）によっても実施される検査の種別は異なる。たとえば、一般撮影の検査室では、レントゲン技師が一般撮影を行い、ＣＴ（Ｃｏｐｕｔｅｄ  Ｔｏｍｏｇｒａｐｈｙ）の検査室では技師がＣＴ検査を実施する。よって、異なる種類の検査の実施するため、各場所で必要となる情報は異なる。
【０００５】
このように、端末やユーザ、ひいては検査オーダで指示される検査の種類ごとに、必要な情報が異なるため、上位システム側から提供された情報の一覧を端末に表示すると、必要な情報を見るのに時間がかかるという問題がある。また、上位システム側から提供された情報の一覧から閲覧したい情報を指定したとしても、指定した情報に不要な情報が含まれていると、上述したように必要な情報を見るのに時間がかかるという問題がある。
【０００６】
本発明は、上述した従来技術による問題点を解消するため、閲覧作業の効率化を図ることができる情報表示装置、情報表示方法、および情報表示プログラムを提供することを目的とする。
【課題を解決するための手段】
【０００７】
上述した課題を解決し、目的を達成するため、本発明の一側面によれば、患者ごとに、患者の特徴情報と該患者に行われた検査で得られた検査情報とを記憶する外部装置にアクセスする情報処理装置、情報表示方法、および情報表示プログラムであって、前記患者に実施する検査を識別する識別子と、実施が指示された検査の種別とを含む検査オーダを取得し、取得した前記検査オーダを含む複数の検査オーダのうち、ユーザから一の検査オーダの指定を受付け、前記検査情報に含まれる複数の項目と前記特徴情報に含まれる複数の項目とのうちの少なくとも一つを含む指定項目、および実施される検査の種別を示す検査種別とを対応付けて記憶する記憶部から、指定された前記一の検査オーダの検査種別に対応する前記指定項目を取得し、取得した前記指定項目に対応する情報を要求する命令を外部装置へ送信し、前記指定項目に対応する情報を前記外部装置から受信し、受信した前記指定項目に対応する情報を、表示装置へ表示する情報表示装置、情報表示方法、および情報表示プログラムが提案される。
【発明の効果】
【０００８】
本発明の一側面によれば、閲覧作業の効率化を図ることができるという効果を奏する。
【図面の簡単な説明】
【０００９】
【図１】図１は、システム構成例を示す説明図である。
【図２】図２は、図１に示した電子カルテＤＢ１０４の記憶内容の一例を示す説明図である。
【図３】図３は、ＲＩＳＤＢ１０５の記憶内容の一例を示す説明図である。
【図４】図４は、検査内容マスタＭの設定例を示す説明図（その１）である。
【図５】図５は、検査内容マスタＭの設定例を示す説明図（その２）である。
【図６】図６は、検査内容マスタＭの設定例を示す説明図（その３）である。
【図７】図７は、実施の形態にかかるコンピュータ（端末装置Ｔｉ、電子カルテサーバ１０１、ＲＩＳサーバ１０２）のハードウェア構成例を示すブロック図である。
【図８】図８は、端末装置Ｔｉの機能的構成例を示すブロック図である。
【図９】図９は、表示画面例（その１）を示す説明図である。
【図１０】図１０は、表示画面例（その２）を示す説明図である。
【図１１】図１１は、端末装置Ｔｉによる情報表示処理を示すフローチャートである。
【発明を実施するための形態】
【００１０】
以下に添付図面を参照して、この発明にかかる情報処理装置、情報処理方法、および情報処理プログラムの実施の形態を詳細に説明する。
【００１１】
図１は、システム構成例を示す説明図である。図１では、電子カルテサーバ１０１とＲＩＳ（Ｒａｄｉｏｌｏｇｙ  Ｉｎｆｏｒｍａｔｉｏｎ  Ｓｙｓｔｅｍ：放射線科情報システム）サーバ１０２とが、ネットワーク１０３を介して接続されている。
【００１２】
電子カルテサーバ１０１は電子カルテＤＢ１０４を有する。電子カルテＤＢ１０４は、被検査者である患者ごとの患者の特徴情報（以下、「患者情報」）や各種検査情報が記憶されている。患者情報とは、患者の特徴を示す情報であり、少なくとも患者ＩＤを含む。患者ＩＤのほかには、氏名、住所、年齢、性別、保険証番号などが挙げられる。なお、患者情報は、医師や看護師、医事科の職員が、患者ごとに入力する。検査情報とは、患者に行われたまたはこれから行われる検査を示す情報であり、たとえば、今回オーダされた検査の種別を示す検査種別、今回オーダされた検査の方法を示す検査方法、事前検査の測定値、今回オーダされた検査にかかるコメントなどがある。なお、事前検査の測定値は、複数の測定項目各々について、情報が設定される。
【００１３】
電子カルテサーバ１０１とＲＩＳサーバ１０２とは、電子カルテサーバ１０１からＲＩＳサーバ１０２への単方向通信により伝票ＩＤ、患者情報、および検査情報からなる検査データＤ１が送信される。検査データＤ１は、ＲＩＳサーバ１０２のＲＩＳＤＢ１０５に格納される。なお、検査データＤ１に含まれる各種情報は、検査オーダが発行された時点で、電子カルテサーバ１０１に記憶されている情報である。端末装置群Ｔは、ネットワーク１０３を介して電子カルテサーバ１０１およびＲＩＳサーバ１０２に接続されている。各端末装置Ｔ１〜Ｔｎは、電子カルテサーバ１０１からＲＩＳサーバ１０２に送信された検査データＤ１を取得するとともに、取得した検査データＤ１を表示可能な情報表示装置である。以降、端末装置Ｔ１〜Ｔｎの総数をｎとし、ｉ番目（ｉ＝１〜ｎ）の端末装置を任意の端末装置Ｔｉと称す。
【００１４】
このように、端末装置Ｔｉは、検査データＤ１をＲＩＳサーバ１０２から取得するが、ＲＩＳサーバ１０２から取得できる検査データＤ１は、ユーザが閲覧したい情報以外の情報も含まれている。
【００１５】
なお、端末装置Ｔ１で、複数の検査オーダのうち、一の検査オーダが指定された場合に、検査データＤ１を全て表示すると、ユーザにとって必要な情報を探す負担が発生する。また、検査を実施する上で必要な情報が見落とされる可能性がある。さらには、検査オーダが発行された時点で電子カルテサーバ１０１が管理していた情報が、検査データＤ１に含まれているため、ユーザが一の検査オーダを指定した時点では、情報が更新されている場合がある。更新されている場合であって、更新された情報が検査を実施する上で必要な情報である場合には、古い情報をユーザに提供することは、医療事故等に繋がる恐れがある。そこで、端末装置Ｔ１は、ユーザから一の検査オーダの指定を受け付けた場合に、取得要求データＤ２をＲＩＳサーバ１０２へ送信する。
【００１６】
端末装置Ｔｉからの取得要求データＤ２は、患者ＩＤと検査内容マスタＭで指定された指定検査項目で構成される。検査内容マスタＭとは、電子カルテＤＢ１０４に記憶されている複数の検査項目の中から指定された指定検査項目を示している。検査内容マスタＭは、検査種別ごとに設定してもよく、また、病名や検査部位ごとに設定してもよい。電子カルテサーバ１０１は、指定検査項目に対応する測定値および／または患者の特徴情報のうちの少なくとも一部を、指定検査情報として取得要求元の端末装置Ｔｉに返すことになる。
【００１７】
端末装置Ｔｉでは、ＲＩＳサーバ１０２からの患者情報は、伝票ＩＤごとに端末装置Ｔｉの表示画面に一覧表示されており、伝票ＩＤで指定されることで電子カルテサーバ１０１から、指定した伝票ＩＤに対応する指定検査項目が取得される。取得された指定検査情報は、端末装置Ｔｉの表示画面にプレビュー表示される。これにより、表示画面には、指定した伝票ＩＤに応じた指定検査情報が表示されるため、ユーザは、不要な情報を閲覧することなく、閲覧作業の効率化を図ることができる。
【００１８】
図２は、図１に示した電子カルテＤＢ１０４の記憶内容の一例を示す説明図である。電子カルテＤＢ１０４は、被検査者である患者ごとに患者情報を記憶する。図２において、患者ＩＤから検査種別の手前までが患者情報であり、検査種別以降が検査情報となる。このように、電子カルテサーバ１０１では、患者ＩＤをキーにしてその患者の特徴情報（患者情報）や検査情報を検索することができる。
【００１９】
図３は、ＲＩＳＤＢ１０５の記憶内容の一例を示す説明図である。ＲＩＳＤＢ１０５は、検査データとなる検査オーダごとに、検査オーダを特定する伝票ＩＤ、患者情報および検査情報を記憶する。すなわち、電子カルテサーバ１０１から単方向送信されてくる検査データＤ１を記憶する。
【００２０】
図４〜図６は、検査内容マスタＭの設定例を示す説明図である。検査内容マスタＭの設定は、予めシステム管理者がおこなう。図４〜図６において、（Ａ）は設定前、（Ｂ）は設定後を示している。また、図４〜図６の（Ｂ）において、黒塗りされた検査項目は、検査内容から除外された項目である。図４では、検査内容マスタＭ内の患者情報の設定例を示している。図５では、検査内容マスタＭ内の検査種別が「ＣＴ」である場合に、電子カルテサーバ１０１から取得するデータの項目を設定した例を示している。
【００２１】
図６では、検査内容マスタＭ内の検査種別が「ＭＲＩ（Ｍａｇｎｅｔｉｃ  Ｒｅｓｏｎａｎｃｅ  Ｉｍａｇｉｎｇ  ｓｙｓｔｅｍ）」である場合に、電子カルテサーバ１０１から取得するデータの項目を設定した例を示している。このように、端末装置Ｔｉごとに、検査内容マスタＭを自由に設定することができるため、端末装置Ｔｉに応じた要求検査情報群を取得することができる。なお、検査の種別ごとに、電子カルテサーバ１０１から取得する患者情報の内容を設定しても良い。
【００２２】
指定検査情報は、端末装置Ｔｉだけでなく、撮影部位、性別などに応じて変えてもよい。また、診療科の医師がオーダを発行する際に、入力される検査目的の文章から、テキスト解析技術を用いて注目すべき検査情報をとってきても良い。さらには、過去の同一検査の撮影条件などを表示することも考えられる。例えば、検査目的の中に肺がんの経過観察のキーワードがある場合、腫瘍マーカの結果や前回同一検査の撮影条件を表示することで、技師が経過観察に最適な撮影を行うことができる。
【００２３】
図７は、実施の形態にかかるコンピュータ（端末装置Ｔｉ、電子カルテサーバ１０１、ＲＩＳサーバ１０２）のハードウェア構成例を示すブロック図である。図７においてコンピュータは、ＣＰＵ（Ｃｅｎｔｒａｌ  Ｐｒｏｃｅｓｓｉｎｇ  Ｕｎｉｔ）７０１と、ＲＯＭ（Ｒｅａｄ‐Ｏｎｌｙ  Ｍｅｍｏｒｙ）７０２と、ＲＡＭ（Ｒａｎｄｏｍ  Ａｃｃｅｓｓ  Ｍｅｍｏｒｙ）７０３と、磁気ディスクドライブ７０４と、磁気ディスク７０５と、光ディスクドライブ７０６と、光ディスク７０７と、ディスプレイ７０８と、Ｉ／Ｆ（Ｉｎｔｅｒｆａｃｅ）７０９と、キーボード７１０と、マウス７１１と、スキャナ７１２と、プリンタ７１３と、を備えている。また、各構成部はバス７００によってそれぞれ接続されている。
【００２４】
ここで、ＣＰＵ７０１は、コンピュータの全体の制御を司る。ＲＯＭ７０２は、ブートプログラムなどのプログラムを記憶している。ＲＡＭ７０３は、ＣＰＵ７０１のワークエリアとして使用される。磁気ディスクドライブ７０４は、ＣＰＵ７０１の制御にしたがって磁気ディスク７０５に対するデータのリード／ライトを制御する。磁気ディスク７０５は、磁気ディスクドライブ７０４の制御で書き込まれたデータを記憶する。
【００２５】
光ディスクドライブ７０６は、ＣＰＵ７０１の制御にしたがって光ディスク７０７に対するデータのリード／ライトを制御する。光ディスク７０７は、光ディスクドライブ７０６の制御で書き込まれたデータを記憶したり、光ディスク７０７に記憶されたデータをコンピュータに読み取らせたりする。
【００２６】
ディスプレイ７０８は、カーソル、アイコンあるいはツールボックスをはじめ、文書、画像、機能情報などのデータを表示する。このディスプレイ７０８は、たとえば、ＣＲＴ、ＴＦＴ液晶ディスプレイ、プラズマディスプレイなどを採用することができる。
【００２７】
インターフェース（以下、「Ｉ／Ｆ」と略する。）７０９は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク１０３に接続され、このネットワーク１０３を介して他の装置に接続される。そして、Ｉ／Ｆ７０９は、ネットワーク１０３と内部のインターフェースを司り、外部装置からのデータの入出力を制御する。Ｉ／Ｆ７０９には、たとえばモデムやＬＡＮアダプタなどを採用することができる。
【００２８】
キーボード７１０は、文字、数字、各種指示などの入力のためのキーを備え、データの入力をおこなう。また、タッチパネル式の入力パッドやテンキーなどであってもよい。マウス７１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００２９】
スキャナ７１２は、画像を光学的に読み取り、コンピュータ内に画像データを取り込む。なお、スキャナ７１２は、ＯＣＲ（Ｏｐｔｉｃａｌ  Ｃｈａｒａｃｔｅｒ  Ｒｅａｄｅｒ）機能を持たせてもよい。また、プリンタ７１３は、画像データや文書データを印刷する。プリンタ７１３には、たとえば、レーザプリンタやインクジェットプリンタを採用することができる。
【００３０】
（端末装置Ｔｉの機能的構成例）
つぎに、端末装置Ｔｉ（情報表示装置）の機能的構成例について説明する。図８は、端末装置Ｔｉの機能的構成例を示すブロック図である。端末装置Ｔｉは、記憶部８００と、取得部８０１と、選択部８０２と、生成部８０３と、送信部８０４と、受信部８０５と、表示制御部８０６と、を備えている。記憶部８００は、具体的には、たとえば、図７に示したＲＯＭ７０２、ＲＡＭ７０３、磁気ディスク７０５、光ディスク７０７などの記憶装置によりその機能を実現する。なお、記憶部８００は、端末装置Ｔｉではなく、ＲＩＳサーバ１０２に存在してもよい。取得部８０１〜表示制御部８０６は、具体的には、たとえば、図７に示したＲＯＭ７０２、ＲＡＭ７０３、磁気ディスク７０５、光ディスク７０７などの記憶装置に記憶されたプログラムをＣＰＵ７０１に実行させることにより、または、Ｉ／Ｆ７０９により、その機能を実現する。
【００３１】
記憶部８００は、複数の検査情報に含まれる複数の項目と特徴情報に含まれる複数の項目とのうちの少なくとも一つを含む指定項目、および実施される検査の種別を示す検査種別とを対応付けて記憶する。複数の検査情報とは、図４に示したように、電子カルテＤＢ１０４に記憶されている複数の検査項目（検査種別、クレアチニン値、…）に対応する検査情報（検査種別の場合は、たとえば、ＣＴ。クレアチニン値の場合は、たとえば、１０８。）である。
【００３２】
指定検査項目とは、上述した複数の検査項目のうち端末装置Ｔｉにおいて指定された検査項目である。具体的には、たとえば、図５の（Ｂ）や図６の（Ｂ）で示したような検査項目である。
【００３３】
取得部８０１は、患者に実施する検査を識別する識別子と、実施が指示された検査の種別とを含む検査オーダを取得する。患者に実施する検査を識別する識別子とは、たとえば、図１に示した伝票ＩＤである。検査種別は、検査情報に含まれている。ＲＩＳサーバ１０２から取得部８０１で取得された検査オーダは、端末装置Ｔｉ内部のメモリに記憶される。これにより、表示画面には、検査オーダごとの伝票ＩＤ、患者情報および検査情報の一覧が表示されることとなる。
【００３４】
図９は、表示画面例（その１）を示す説明図である。図９では、取得部８０１によって取得された検査オーダごとの伝票ＩＤ、患者情報および検査情報が一覧表示されている。
【００３５】
また、図８に戻り、選択部８０２は、取得した検査オーダを含む複数の検査オーダのうち、ユーザから一の検査オーダの指定を受付ける。具体的には、たとえば、表示画面に表示されている検査オーダ群の中からマウスなどの入力装置を操作することで、閲覧対象となる検査オーダが受け付けられる。たとえば、図９の例では、伝票ＩＤ：１００１のレコードが選択されたことを示している。
【００３６】
また、選択部８０２は、閲覧対象についての検査オーダの選択に先立って、複数種類の指定検査項目の中から要求対象となる指定検査項目を選択することとしてもよい。ユーザによっては、要求する検査情報が異なるため、指定検査項目を複数種類用意しておくこともできる。たとえば、図５の（Ｂ）と図６の（Ｂ）のように、検査種別ごとに用意しておいてもよい。要求対象指定検査項目とは、複数種類用意された指定検査項目の中から選択部８０２により選択された指定検査項目である。たとえば、検査種別として「ＣＴ」が選択された場合は、要求対象指定検査項目群は、図５の（Ｂ）のような指定検査項目群となる。
【００３７】
生成部８０３は、検査情報に含まれる複数の項目と特徴情報に含まれる複数の項目とのうちの少なくとも一つを含む指定項目、および実施される検査の種別を示す検査種別とを対応付けて記憶する記憶部８００から、指定された一の検査オーダの検査種別に対応する指定項目を取得する。具体的には、たとえば、生成部８０３は、指定された一の検査オーダの検査種別が「ＣＴ」である場合は、図５の（Ｂ）の内容を含む検査内容マスタＭから、対応する指定検査項目を取得する。そして、生成部８０３は、取得した指定項目に対応する情報を要求する命令を生成する。たとえば、生成部８０３は、指定検査項目に患者ＩＤを関連付けた取得要求データＤ２を生成することになる。生成された取得要求データＤ２は、端末装置Ｔｉ内部のメモリに記憶される。
【００３８】
送信部８０４は、取得した指定項目に対応する情報を要求する命令を外部装置へ送信する。外部装置は、具体的には、たとえば、電子カルテサーバ１０１またはＲＩＳサーバ１０２である。ＲＩＳサーバ１０２に送信する場合は、ＲＩＳサーバ１０２経由で電子カルテサーバ１０２に転送される。たとえば、送信部８０４は、上述した取得要求データＤ２を電子カルテサーバ１０１に送信する。これにより、電子カルテサーバ１０１は、取得要求データＤ２を受信すると、取得要求データＤ２内の患者ＩＤをキーにして、取得要求データＤ２内の指定検査項目に対応する指定検査情報を抽出する。
【００３９】
たとえば、電子カルテサーバ１０１は、患者ＩＤが「０００１」であり、指定検査項目に「クレアチニン値」が含まれている場合は、患者ＩＤ：０００１のクレアチニン値である「１０８」を指定検査情報として電子カルテＤＢ１０４から抽出する。他の指定検査情報についても同様に抽出することとなる。
【００４０】
受信部８０５は、指定項目に対応する情報を外部装置から受信する。具体的には、たとえば、受信部８０５は、電子カルテサーバ１０１で抽出された指定検査情報を受信する。受信された指定検査情報は、端末装置Ｔｉ内部のメモリに記憶される。
【００４１】
表示制御部８０６は、受信した指定項目に対応する情報を、表示装置へ表示する。具体的には、たとえば、図９に示したように、検査オーダの一覧を表示する。また、表示制御部８０６は、受信部８０５によって受信された指定検査情報を、検査ごとの被検査者の特徴情報とともに表示画面に表示する。具体的には、たとえば、検査オーダの一覧が表示されている表示画面内の患者情報の一覧とは別の領域に、受信された指定検査情報を表示（プレビュー表示）する。これにより、端末装置Ｔｉでの閲覧作業の効率化を図ることができる。
【００４２】
図１０は、表示画面例（その２）を示す説明図である。図１０では、検査情報の表示領域に、指定検査情報が表示されている。このように、指定検査情報がプレビュー表示されるため、ユーザにとって必要な情報をまとめて提示することができる。
【００４３】
図１１は、端末装置Ｔｉによる情報表示処理を示すフローチャートである。端末装置Ｔｉは、ブラウザが起動されたか否かを待ち受け（ステップＳ１１０１：Ｎｏ）、起動された場合（ステップＳ１１０１：Ｙｅｓ）、端末装置Ｔｉは、取得部８０１により、ＲＩＳサーバ１０２から検査オーダを取得する（ステップＳ１１０２）。検査オーダの取得タイミングは、ユーザ操作でおこなってもよいが、ブラウザ起動時とすることで、自動的にＲＩＳサーバ１０２から検査オーダを取得することができ、閲覧作業の効率化を図ることができる。
【００４４】
つぎに、端末装置Ｔｉは、図９に示したように、表示制御部８０６により、取得された検査オーダを伝票ＩＤごとに表示画面に一覧表示する（ステップＳ１１０３）。このあと、終了か否かを判断し（ステップＳ１１０４）、終了の場合は（ステップＳ１１０４：Ｙｅｓ）、一連の情報表示処理を終了する。
【００４５】
終了でない場合（ステップＳ１１０４：Ｎｏ）、端末装置Ｔｉは、検査内容の変更指示があるか否かを判断する（ステップＳ１１０５）。具体的には、たとえば、端末装置Ｔｉは、選択部８０２の選択により検査内容マスタＭの変更があったか否かを判断する。変更指示がない場合（ステップＳ１１０５：Ｎｏ）、ステップＳ１１０７に移行する。
【００４６】
一方、変更指示があった場合（ステップＳ１１０５：Ｙｅｓ）、端末装置Ｔｉは、最新の検査内容マスタＭを取得要求データＤ２に挿入するマスタにする（ステップＳ１１０６）。たとえば、変更前の検査種別が「ＣＴ」である場合、現在有効なマスタは、図５の（Ｂ）に示すＣＴの指定検査項目を含む検査内容マスタＭである。このときに、検査種別が「ＣＴ」から「ＭＲＩ」に変更された場合、図６の（Ｂ）に示すＭＲＩの指定検査項目群を含む検査内容マスタＭが最新のマスタとなる。
【００４７】
つぎに、端末装置Ｔｉは、ステップＳ１１０７において、検査オーダの一覧の中から閲覧対象となるレコードが選択されるのを待ち受ける（ステップＳ１１０７：Ｎｏ）。選択された場合（ステップＳ１１０７：Ｙｅｓ）、端末装置Ｔｉは、生成部８０３により、選択レコードに該当する検査オーダの中から患者ＩＤを取得する（ステップＳ１１０８）。そして、端末装置Ｔｉは、生成部８０３により、取得した患者ＩＤと検査内容マスタＭで特定される指定検査項目を含む取得要求データＤ２を生成する（ステップＳ１１０９）。
【００４８】
そして、端末装置Ｔｉは、送信部８０４により、生成した取得要求データＤ２を電子カルテサーバ１０１に送信する（ステップＳ１１１０）。このあと、電子カルテサーバ１０１は、取得要求データＤ２を受信すると、取得要求データＤ２内の患者ＩＤをキーにして、取得要求データＤ２内の指定検査項目に対応する指定検査情報を抽出する。そして、電子カルテサーバ１０１は、抽出した指定検査情報を、取得要求データＤ２の送信元である端末装置Ｔｉに送信する。
【００４９】
端末装置Ｔｉは、受信部８０５により、電子カルテサーバ１０１から指定検査情報を待ち受け（ステップＳ１１１１：Ｎｏ）、指定検査情報が受信された場合（ステップＳ１１１１：Ｙｅｓ）、端末装置Ｔｉは、図１０に示したように、表示制御部８０６により、受信した指定検査情報をプレビュー表示する（ステップＳ１１１２）。これにより、端末装置Ｔｉでの閲覧作業の効率化を図ることができる。
【００５０】
このあと、ステップＳ１１０４に戻り、終了か否かを判断し（ステップＳ１１０４）、終了でない場合（ステップＳ１１０４：Ｎｏ）、端末装置Ｔｉは、検査内容の変更指示があるか否かを判断する（ステップＳ１１０５）。これにより、再度ステップＳ１１０５〜Ｓ１１１２が実行されるため、検査内容マスタＭを更新したり、別のレコードを選択することで、閲覧したい指定検査情報を変更することができる。
【００５１】
このように、本実施の形態によれば、閲覧したい検査情報に対応する検査項目を検査内容マスタＭとして事前に設定しておくことで、閲覧したい検査情報群をプレビュー表示することができる。したがって、不要な検査情報が表示されないため、閲覧したい検査情報のみをまとめて閲覧することができる。
【００５２】
また、検査種別など、指定検査項目が複数種類存在する場合、ユーザによって要求する指定検査項目が異なる。したがって、指定検査項目を選択可能とすることにより、多種多様な指定検査情報をプレビュー表示することができる。また、上述した実施の形態では、指定検査項目の種類の例として検査種別を例に挙げて説明したが、病名や検査部位ごとに指定検査項目を設定することとしてもよい。
【００５３】
また、病名で設定することで、これまで複数の病気にかかった患者であっても病名ごとに指定検査項目をプレビュー表示することができる。すなわち、他の病気についての検査情報と混在しないため、必要な検査情報をまとめて閲覧することができる。検査部位についても同様に、他の検査部位についての検査情報と混在しないため、必要な検査情報をまとめて閲覧することができる。
【００５４】
また、電子カルテサーバ１０１から単方向通信でＲＩＳサーバ１０２へ検査データＤ１を送信している場合、単方向通信によるプロトコルのため、ＲＩＳサーバ１０２からの要求で電子カルテサーバ１０１から検査データＤ１を要求することができない。このようにシステムが組まれている場合、端末装置ＴｉではＲＩＳサーバ１０２で受信された検査データＤ１をすべて取得し、その中から必要な検査情報を探すことになるが、本実施の形態のように直接電子カルテサーバ１０１に取得要求データＤ２を送って指定検査情報を取得できるようにしたことで、既存のシステムを維持したまま、閲覧作業の効率化を図ることができる。したがって、導入コストの低減化を図ることができる。
【符号の説明】
【００５５】
１０１  電子カルテサーバ
１０２  ＲＩＳサーバ
１０４  電子カルテＤＢ
１０５  ＲＩＳＤＢ
８００  記憶部
８０１  取得部
８０２  選択部
８０３  生成部
８０４  送信部
８０５  受信部
８０６  表示制御部
Ｄ１  検査データ
Ｄ２  取得要求データ
Ｍ  検査内容マスタ
Ｔｉ  端末装置
【図１】
0005799629.tif 000002
【図２】
0005799629.tif 000003
【図３】
0005799629.tif 000004
【図４】
0005799629.tif 000005
【図５】
0005799629.tif 000006
【図６】
0005799629.tif 000007
【図７】
0005799629.tif 000008
【図８】
0005799629.tif 000009
【図９】
0005799629.tif 000010
【図１０】
0005799629.tif 000011
【図１１】
0005799629.tif 000012